(57)【要約】【課題】卓上カレンダーや各種の写真パネル類や商品のキャンペーン表示などの表示物や、ペンやメモ紙や名刺や鍵やキーホルダーなどの通常机上または引き出しの中に置かれる小物類などを、種々の厚みのモニタに装着可能な保持具を提供することにある。【解決手段】本発明のモニタに着脱自在な保持具は、モニタの厚み方向を挟持し、モニタに着脱可能な保持具であって、基部と挟持部材と小物保持部材からなり、該基部材と該挟持部材は一ヶ所以上の位置にて係止する構成であって、該基部材と該小物保持部材は着脱可能に係止する構成であって、該基部はモニタ前面を受ける当て面または当てリブと該挟持部材用の係合部と該小物保持部材用の係合部とを備え、該挟持部材は弾性を伴ってモニタ裏面部を押さえる突起と該基部用の係合部を備え、該基部材と該挟持部材と該小物保持部材を係止した保持具は、該当て面または該当てリブと該突起にてモニタの厚み方向を挟み、さらに該突起付近の弾性力を持ってモニタを挟持することを最も主要な特徴とする。【選択図】図９
2008079744.tif 000002
【特許請求の範囲】
【請求項１】
モニタの厚み方向を挟持し、モニタに着脱可能な保持具であって、基部材と挟持部材と小物保持部材からなり、該基部材と該挟持部材は一ヶ所以上の位置にて係止する構成であって、該基部材と該小物保持部材は着脱可能に係止する構成であって、該基部はモニタ前面を受ける当て面または当てリブと該挟持部材用の係合部と該小物保持部材用の係合部とを備え、該挟持部材は弾性を伴ってモニタ裏面部を押さえる突起と該基部用の係合部を備え、該基部材と該挟持部材と該小物保持部材を係止した保持具は、該当て面または該当てリブと該突起にてモニタの厚み方向を挟み、さらに該突起付近の弾性力を持ってモニタを挟持することを特徴とするモニタに着脱自在な保持具。
【請求項２】
上記保持具の小物保持部材であって、該小物保持部材は該基部材用の係合部とカレンダーカードまたはカレンダーケースの保持機能を持ったことを特徴とする請求項１に記載の小物保持部材。
【請求項３】
上記保持具の小物保持部材であって、該小物保持部材は該基部材用の係合部と一ヶ所以上の万年筆またはボールペンまたは鉛筆などのペン挿入口とを備えたことを特徴とする請求項１に記載の小物保持部材。
【請求項４】
上記保持具の小物保持部材であって、該小物保持部材は該基部材用の係合部と名刺または紙片または消しゴムまたはクリップなどの小物用の挿入口とを備えたことを特徴とする請求項１に記載の小物保持部材。
【請求項５】
上記保持具の小物保持部材であって、該小物保持部材は該基部材用の係合部と鍵またはキーホルダーなどをぶら下げる一ヶ所以上の鍵フックとを備えたことを特徴とする請求項１に記載の小物保持部材。
【請求項６】
上記基部材と上記小物保持部材が一体である事を特徴とする請求項１から請求項５のいずれかに記載のモニタに着脱自在な保持具。
【請求項７】
保持具の主たる材料が、ポリ乳酸などの生分解性材料にて形成されたことを特徴とする請求項１から請求項６のいずれかに記載のモニタに設置可能な保持具。
【発明の詳細な説明】
【技術分野】
【０００１】
本発明は、机上の小物をモニタ周辺に整頓する為の保持具であって、モニタの上辺部または側辺部または底辺部の厚み方向を挟持しモニタに着脱自在に装着可能な保持具に関するものである。
【背景技術】
【０００２】
現在、テレビやパソコンの液晶などの薄型モニタは多種多用に販売されており、通常机上に設置されている。また、机上に置くものとして、卓上カレンダーや各種の写真パネル類や商品のキャンペーン表示などの表示物や、ペンやメモ紙や名刺や鍵やキーホルダーなどの小物類もある。机上を有効に利用する為には、前記表示物及び小物類をモニタ周辺に保持し、机上を広く使いたいとの希望があった。
【０００３】
しかしながら、現状販売されているモニタの側面形状や厚みは、メーカー及び、画面のインチ数、または機種により、多様に存在している。このため、前記表示物及び小物類をモニタ周辺に保持させるための保持具には、種々の厚みのモニタに着脱自在な保持具が望まれていた。
【０００４】
モニタに装着可能な保持具に近いものとして、生体信号モニタ装置用ネームプレート（特許第３６６５９５４号）があるが、種々の厚みのモニタに装着可能なものではない。
【特許文献１】特許第３６６５９５４号
【発明の開示】
【発明が解決しようとする課題】
【０００５】
本発明のその目的とするところは、卓上カレンダーや各種の写真パネル類や商品のキャンペーン表示などの表示物や、ペンやメモ紙や名刺や鍵やキーホルダーなどの通常机上または引き出しの中に置かれる小物類などを、種々の厚みのモニタに装着可能な保持具を提供することにある。
【課題を解決するための手段】
【０００６】
上記目的を達成するため、本発明のモニタに着脱自在な保持具は、モニタの厚み方向を挟持し、モニタに着脱可能な保持具であって、基部と挟持部材と小物保持部材からなり、該基部材と該挟持部材は一ヶ所以上の位置にて係止する構成であって、該基部材と該小物保持部材は着脱可能に係止する構成であって、該基部はモニタ前面を受ける当て面または当てリブと該挟持部材用の係合部と該小物保持部材用の係合部とを備え、該挟持部材は弾性を伴ってモニタ裏面部を押さえる突起と該基部用の係合部を備え、該基部材と該挟持部材と該小物保持部材を係止した保持具は、該当て面または該当てリブと該突起にてモニタの厚み方向を挟み、さらに該突起付近の弾性力を持ってモニタを挟持することを最も主要な特徴とする。
【０００７】
さらに、前記係合部材は、カレンダーカードの保持機能、またはペンの保持機能、またはボールペンの保持機能、または名刺など小紙の保持機能、または鍵またはキーホルダーなどをぶら下げる機能を備えている。
【発明の効果】
【０００８】
本発明のモニタに着脱自在な保持具は、小物保持部材との組み合わせによって、通常机上に放置されることの多い、卓上カレンダーや各種の写真パネル類や商品のキャンペーン表示などの表示物や、ペンやメモ紙や名刺や鍵やキーホルダーなどの小物類などをモニタの上辺または側辺に保持させ、机上をすっきりさせることができる。
【発明を実施するための最良の形態】
【０００９】
基部材と挟持部材と小物保持部材からなり、該基部材に対し該挟持部材位置はモニタの厚み方向にスライドし、挟持距離を変え、数ヶ所の係止位置を備えることで、種々の厚みのモニタに対応し、モニタ上辺または側辺に保持させたい物品により、カレンダーカードの保持機能、またはペンの保持機能、またはボールペンの保持機能、または名刺など小紙の保持機能、または鍵またはキーホルダーなどをぶら下げる機能を持った係合部材を選択できる構成とすることが望ましい。
【実施例１】
【００１０】
本発明の実施形態について詳しく説明する。本実施例で説明する形状は、これを限定する物ではない。図１は、本発明のモニタに着脱自在な保持具の基部材を上面方向から見た斜視図であり、図２は、基部材を下面方向から見た斜視図である。１０は基部材を示し、１１は当て面、１２はローレット部、１３はスライド溝、１４は係合部である。図中では、係合部１４を両端に備えているが、場所及び数量を限定する物ではない。また、当て面１１にはモニタの前面を受ける当てリブを備える場合もある。
【００１１】
図３は、挟持部材を上面方向から見た斜視図であり、図４は、挟持部材を下面方向から見た斜視図である。２０は挟持部材を示し、２１は突起、２２はつまみ、２３はローレット当て部、２４はスライド挿入部である。突起２１は面から凸形状とし挟持部材２０全体に対し、弾性変形を発生しやすい形状としている。また、ローレット当て部２３は挟持部材２０の平面部に配されており、つまみ２２はローレット当て部２３に連続して配されている。これによりつまみ２２を動かすことで、ローレット当て部２３を動かす構成としている。
【００１２】
図５は、基部と挟持部材を組み合わせた状態を示す斜視図である。この時、基部材１０の両端に配したスライド溝１３内に、挟持部材２０のスライド挿入部２４を嵌め込み、基部１０のローレット部１２の上に挟持部材２０のローレット当て部が配されることで、基部材１０と挟持部材２０は数ヶ所の位置にて係止する構成としている。
【００１３】
つまり、つまみ２２を動かすことでローレット当て部２３をローレット部１２から浮かし、浮いたローレット当て部２３をローレット部１２上で移動し、つまみ２２を放すことでローレット当て部２３は沈み、沈んだローレット当て部２３は基部材１０のローレット部１２上に係止し、基部材１０と挟持部材２０は数ヶ所の位置関係にて係止させている。
【００１４】
また、実施例では基部材１０と挟持部材２０の構成物のとして、スライド溝１３とスライド挿入部２４を備えた例を説明しているが、図１に於けるローレット部１２間の溝とローレット当て部２３の根元部にてこれを代替する場合もある。
【００１５】
図６は、カレンダーケースホルダ付き小物保持部材の斜視図である。また、図７は、図５の状態にカレンダーケースホルダ付き小物保持部材を係合した状態を示す斜視図である。３０は、カレンダーケースホルダ付き小物保持部材を示し、３１は上部係合部、３２は下部係合部である。上部係合部３１は、カレンダーケースを前後から挟持するタイプになっているが、形状をこれに限定する物ではない。下部係合部３２は、挟持部材２０に対し差し込み式になっているが形状及び構成をこれに限定する物ではない。
【００１６】
図８は、図７の状態にカレンダーケースを係合した状態を示す斜視図である。この時カレンダーケース４０は、上部の開口からカレンダーカードを簡単に収容するケースとしているが、カレンダーケース４０をこれに限る物ではなく、カレンダーケース４０とカレンダーケースホルダ付き小物保持部材３０と一体物にする場合もある。
【００１７】
図９は、図８の状態物をモニタ上辺に装着した状態を示す斜視図であり、図１０は、図９の状態をモニタの背面方向から見た斜視図である。８０はモニタを示し、８１はモニタ背面を示し、１０は基部材、４０はカレンダーケースである。２０は挟持部材であり、２１は突起、３０はカレンダーケースホルダ付き小物保持部材である。
【００１８】
図１１は、モニタ側辺に図５の状態物を装着した状態を示す斜視図である。モニタ側辺にモニタに着脱自在な保持具をおいた状態から、つまみ２２を動かすことで、基部１０に対し挟持部材２０は、スライドしながらモニタ８０の厚み方向に挟持距離を自在に変え、任意の位置にて係止し、当て面１１はモニタ前面に当り、フック２１がモニタ背面を押しモニタの厚み方向を挟持する。この時フック２１を弾性変形させる事により挟持力を高めることができる。
【００１９】
図１２は、フック付き小物保持部材を示す斜視図である。また、図１３は、図１１にフック付き小物保持部材を係合した状態を示す斜視図である。５０はフック付き小物保持部材であって、５１は鍵フック、５２は係合部である。図１２では鍵フック５１を３ヶ所配しているが、鍵フックの数、形状を限定する物では無く、また鍵フック５１との名前にしたが、鍵のみを引っ掛けるわけではなく、フックに引っ掛かるものは何でも良い。
【００２０】
図１４は、ペン立て小物保持部材を示す斜視図である。また、図１５は、図１１にペン立て小物保持部材を係合した状態を示す斜視図である。６０はペン立て小物保持部材を示し、６１はペン挿入口、６２は係合部である。図１４において、ペン挿入口６１は５ヶ所配されているが、位置、数量を限定する物ではない。さらに、係合部６２を左右に配しているが、これはモニタ８０に対してモニタに着脱自在な保持具を左右どちらに装着しても使えるようにする為であるが、左右共に配することを限定する物ではない。
【００２１】
図１６は、小物入れ付き小物保持部材を示す斜視図である。また、図１７は、図１１に小物入れ付き小物保持部材を係合した状態を示す斜視図である。７０は小物入れ付き小物保持部材を示し、７１は小物挿入口、７２は係合部である。この時も係合部７２を２個配しているが、モニタ８０に対してモニタに着脱自在な保持具を左右どちらに装着しても使えるようにする為であり、２個の係合部７２を配することを限定する物ではない。。
【００２２】
また、本発明のモニタに着脱自在な保持具は、モニタに特記して記載しているが、同形状にて、棚板または仕切り板などの厚みのある板物にも着脱自在に装着可能である。
【産業上の利用可能性】
【００２３】
本発明のモニタに着脱自在な保持具は、小物保持部材の選択によって、通常机上に放置されることの多い、卓上カレンダーや各種の写真パネル類や商品のキャンペーン表示などの表示物や、ペンやメモ紙や名刺や鍵やキーホルダーなどの小物類などをモニタの上辺または側辺に保持させ、机上をすっきりさせることができる。
【図面の簡単な説明】
【００２４】
【図１】本発明のモニタに着脱自在な保持具の基部材を上面方向から見た斜視図である。
【図２】基部材を下面方向から見た斜視図である。
【図３】挟持部材を上面方向から見た斜視図である。
【図４】挟持部材を下面方向から見た斜視図である。
【図５】基部と挟持部材を組み合わせた状態を示す斜視図である。
【図６】カレンダーケースホルダ付き小物保持部材の斜視図である。
【図７】図５の状態にカレンダーケースホルダ付き小物保持部材を係合した状態を示す斜視図である。
【図８】図７の状態にカレンダーケースを係合した状態を示す斜視図である。
【図９】図８の状態物をモニタ上辺に装着した状態を示す斜視図である。
【図１０】図１０の状態をモニタの背面方向から見た斜視図である。
【図１１】モニタ側辺に図５の状態物を装着した状態を示す斜視図である。
【図１２】フック付き係合部材を示す斜視図である。
【図１３】図１１にフック付き係合部材を係合した状態を示す斜視図である。
【図１４】ペン立て係合部材を示す斜視図である。
【図１５】図１１にペン立て係合部材を係合した状態を示す斜視図である。
【図１６】小物入れ付き係合部材を示す斜視図である。
【図１７】図１１に小物入れ付き係合部材を係合した状態を示す斜視図である。
【符号の説明】
【００２５】
１０    基部材
１１    当て面
１２    ローレット部
１３    スライド溝
１４    係合部
２０    挟持部材
２１    突起
２２    つまみ
２３    ローレット当て部
２４    スライド挿入部
３０    カレンダーケースホルダ付き小物保持部材
３１    上部係合部
３２    下部係合部
４０    カレンダーケース
５０    フック付き小物保持部材
５１    鍵フック
５２    係合部
６０    ペン立て小物保持部材
６１    ペン挿入口
６２    係合部
７０    小物入れ付き小物保持部材
７１    小物挿入口
７２    係合部
８０    モニタ
８１    モニタ背面
【図６】
2008079744.tif 000003
【図１０】
2008079744.tif 000004
【図１２】
2008079744.tif 000005
【図１４】
2008079744.tif 000006
【図１６】
2008079744.tif 000007
【図１】
2008079744.tif 000008
【図２】
2008079744.tif 000009
【図３】
2008079744.tif 000010
【図４】
2008079744.tif 000011
【図５】
2008079744.tif 000012
【図７】
2008079744.tif 000013
【図８】
2008079744.tif 000014
【図９】
2008079744.tif 000015
【図１１】
2008079744.tif 000016
【図１３】
2008079744.tif 000017
【図１５】
2008079744.tif 000018
【図１７】
2008079744.tif 000019